(57)【要約】【課題】安全性を確保しながらも、車いす利用者の移乗をスムーズに行うことのできる座席昇降車いすの提供。【解決手段】アームレスト１は上部アームレスト１ａと下部アームレスト１ｂとに分割構成される。上部アームレスト１ａは回動することにより跳ね上げ可能となっている。下部アームレスト１ｂは固定式になっており、サイドガード３が取り付けられる。車いすの座面が上昇してもサイドガード３により車いすの側方から手などが進入するのを防ぐことができる。【選択図】図１
2009095584.tif 000002
【特許請求の範囲】
【請求項１】
車いす本体を構成する支柱と、該支柱に取り付けられて車いすの両側部を構成し、肘掛部分となるアームレストとを有し、車いすの座面が昇降式に構成される座席昇降車いすにおいて、前記アームレストは上部アームレストと下部アームレストに分割構成され、該下部アームレストは前記支柱に固定され、かつ車いすの側面を保護するサイドガードが取り付けられており、上部アームレストは下部アームレストに対して跳ね上げ式に構成されたことを特徴とする座席昇降車いす。
【請求項２】
前記サイドガードにはその上面にシートガイドが設けられ、前記座面が前方へ傾斜しながら上昇した状態において、前記シートガイドと前記座面とが略同一面となることを特徴とする請求項１記載の座席昇降車いす。
【請求項３】
前記上部アームレストもしくは前記下部アームレストの何れか一方には略丸棒形状のガイドバーが固定され、前記上部アームレストもしくは前記下部アームレストの何れか他方には前記ガイドバーが嵌合する中空部が設けられたことを特徴とする請求項１または２記載の座席昇降車いす。
【発明の詳細な説明】
【技術分野】
【０００１】
本発明は、車いすからの立ち上がりや車いすへの着座作業を容易にする座席昇降車いすのアームレストに関するものである。
【背景技術】
【０００２】
座席昇降車いすは、車椅子利用者が一人で立ち上がることができるよう、立ち上がりを支援する機能を有する。また、介助者が車いす利用者を立ち上がらせてベッドなどに移乗する際の「立位による移乗」を容易に行う事ができ、介助者の腰痛を防止する。具体的には、シリンダー駆動により着座部を構成するシート保持板を前方に傾斜可能としており、この傾斜により車いす利用者の立ち上がりを補助し、また、介助者の腰痛防止となる(特許文献１参照）。また、一般の車いすにはアームレストと称される、車いすの両側部に左右一対に設けられる肘掛部分を有しており、このアームレストを肘跳ね上げ機構により回動可能に構成し、前記の移乗作業の際にアームレストを跳ね上げ、アームレストが移乗の邪魔にならないように構成されたものもある(特許文献２参照)。
【特許文献１】実用新案登録第３０６８５４１号公報
【特許文献２】特開２００５−１１１１７３号公報
【発明の開示】
【発明が解決しようとする課題】
【０００３】
しかしながら、座席昇降車いすに跳ね上げ式のアームレストを採用する場合、昇降するシート保持板の下に車いす利用者の手を入れやすくなるため座面を昇降させる昇降部に接触の可能性があって危険であり、座席昇降車いすには跳ね上げ式アームレストが採用できず、移乗作業の作業性に問題があった。
【０００４】
本発明が前述の状況に鑑み解決しようとするところは、安全性を保ったまま座席昇降車いすに跳ね上げ式アームレストを採用可能な座席昇降車いすを提供することをその課題とする。
【課題を解決するための手段】
【０００５】
前記課題を解決するために、本発明は、車いす本体を構成する支柱２と、該支柱２に取り付けられて車いすの両側部を構成し、肘掛部分となるアームレスト１とを有し、車いすの座面５が昇降式に構成される座席昇降車いすにおいて、前記アームレスト１は上部アームレスト１ａと下部アームレスト１ｂに分割構成され、該下部アームレスト１ｂは前記支柱２に固定され、かつ車いすの側面を保護するサイドガード３が取り付けられており、上部アームレスト１ａは下部アームレスト１ｂに対して跳ね上げ式に構成されたことを特徴としている。
【０００６】
また、本発明は、前記サイドガード３にはその上面にシートガイド３ａが設けられ、前記座面５が前方へ傾斜しながら上昇した状態において、前記シートガイド３ａと前記座面５とが略同一面となることを特徴としている。
【０００７】
また、本発明は、前記上部アームレスト１ａもしくは前記下部アームレスト１ｂの何れか一方には略丸棒形状のガイドバー１ｂ１が固定され、前記上部アームレスト１ａもしくは前記下部アームレスト１ｂの何れか他方には前記ガイドバー１ｂ１が嵌合する中空部１ａ２が設けられたことを特徴としている。
【発明の効果】
【０００８】
本発明の請求項１記載の座席昇降車いすによれば、アームレストは上部アームレストと下部アームレストに分割構成され、該下部アームレストは支柱に固定され、かつ車いすの側面を保護するサイドガードが取り付けられており、上部アームレストは下部アームレストに対して跳ね上げ式に構成されたので、車いすの座面が上昇した状態においてもサイドガードにより側面を保護して座面の下に装備した座面を昇降させる昇降部へ手などの侵入を防ぐことができ、安全性を確保しながらも車いすの移乗作業がスムーズに行える座席昇降車いすを実現することができる。
【０００９】
また、本発明の請求項２記載の座席昇降車いすによれば、サイドガードにはその上面にシートガイドが設けられ、座面が前方へ傾斜しながら上昇した状態において、前記シートガイドと前記座面とが略同一面となるので、車いす利用者を座面から前記シートガイドへ滑らせるようにしながらベッド等へ移乗させることができ、移乗作業における作業性の高い座席昇降車いすを実現することができる。
【００１０】
また、本発明の請求項３記載の座席昇降車いすによれば、上部アームレストもしくは下部アームレストの何れか一方には略丸棒形状のガイドバーが固定され、前記上部アームレストもしくは前記下部アームレストの何れか他方には前記ガイドバーが嵌合する中空部が設けられたので、前記上部アームレストの前記下部アームレストへの嵌合をスムーズに行える座席昇降車いすを実現することができる。
【発明を実施するための最良の形態】
【００１１】
本発明の実施形態による座席昇降車いすについて図１〜図３に基づき説明する。図１の概略側面図に示す通り、本実施例に係る座席昇降車いすＡは左右一対のアームレスト部１を有しているが、ここでは片方のアームレスト部１についてのみ説明をする。アームレスト部１はそれぞれ中空の上部アームレスト１ａと下部アームレスト１ｂとに分割構成され、下部アームレスト１ｂは支柱２に一体的に固定され、上部アームレスト１ａは支柱２に設けられた回動ヒンジ２ａに回動可能に取り付けられている。上部アームレスト１ａにはアームレストパッド１ｃが取り付けられており、車いす利用者の肘掛として機能する。符号５は座面シートであり、図示しない昇降機構により前方へ傾斜可能となっている。図１は座面シート５が前方へ傾斜した、すなわち座席部が上昇した状態を示している。また、符号４は下部アームレスト１ｂに取り付けられ、車いす利用者の足置き部を構成するフットレッグサポートである。
【００１２】
下部アームレスト１ｂにはサイドガード３が一体的に固定されている。サイドガード３は側面視略三角形状を呈しており、その上面が車いす後方から前方へ向うに従って低くなるように傾斜した形状となっている。また、図２に示すように下部アームレスト１ｂの上面にはリブ状のシートガイド３ａが一体的に形成されている。シートガイド３ａの裏面には図示しない補強リブが設けられており、車いす利用者の体重を支えることができるよう構成されている。
【００１３】
図１および図３に示すように、上部アームレスト１ａと下部アームレスト１ｂとの結合部には固定部６が設けられている。具体的には、上部アームレスト１ａに一体的に形成されたホルダー１０内には上部アームレスト１ａの貫通穴１ａ１内を貫通する軸部を有するつまみ７が、Ｅリング８とばね９を介して設けられている。一方、下部アームレスト１ｂにはガイドバー１ｂ１が溶接等により固定されている。ガイドバー１ｂ１は先端形状を丸くして形成されており、上部アームレスト１ａの中空部１ａ２に嵌合しやすくなっている。また、ガイドバー１ｂ１にも貫通穴があり、つまみ７の軸部は貫通穴１ａ１及びガイドバー１ｂ１の貫通穴を貫通している。つまみ７はばね９により常時図３中右方向へ付勢されているので、通常は貫通穴１ａ１とつまみ７との係合により上部アームレスト１ａと下部アームレスト１ｂとは固定された状態になっている。
【００１４】
図１〜図３を用いて、本発明の実施形態におけるアームレストの動作について説明する。まず、車いす利用者が座った状態から座面シート５を前方へ傾斜させる。この前方傾斜した状態において、座面シート５とサイドガード３のシートガイド３ａとは略面一になるよう構成されている。次に図１の状態から固定部６のつまみ７をばね９の付勢力に抗して図３中左側に引っ張り、貫通穴１ａ１からつまみ７の軸部を抜き、係合を解除する。そしてこの係合が解除された状態で上部アームレスト１ａを回動ヒンジ２ａを中心として図１中時計方向に回動させ、上部アームレスト１ａを跳ね上げる。そして車いす利用者を座面シート５からシートガイド３ａへ滑らせるように移動させながら立ち上がらせて、ベッド等へ移乗させる。また、ベッド等から車いすへ移乗させる際もこのように上部アームレスト１ａを跳ね上げ、かつ座面シート５を前方へ傾斜した状態にて移乗させるとよい。座面シート５が前方へ傾斜した状態において、下部アームレスト１ｂに取り付けられたサイドガード３が座面シート５の下方へ手などが侵入するのを防ぐことができ、また、上部アームレスト１ａを跳ね上げることによりベッド等の移乗をスムーズに行う事ができる。
【００１５】
本発明にかかる座席昇降車いすにおけるアームレストの機構は、上述した実施の形態に限定されず、特許請求の範囲で記載した範囲で種々の変形や改良が可能である。例えば、本実施の形態においては、手押し式の車いすであったが、これに限定されず、電動駆動式車いすのようなものであってもよい。
【産業上の利用可能性】
【００１６】
本発明に係る、座席昇降車いすにおけるアームレストは、座席昇降機能を有する車いすにおいて極めて有用である。
【図面の簡単な説明】
【００１７】
【図１】本実施形態に係るの概略側面図
【図２】サイドガードを示す要部拡大斜視図
【図３】固定部を示す要部拡大一部断面図
【符号の説明】
【００１８】
１      アームレスト
１ａ    上部アームレスト
１ｂ    下部アームレスト
３      サイドガード
５      座面シート
６      固定部
【図１】
2009095584.tif 000003
【図２】
2009095584.tif 000004
【図３】
2009095584.tif 000005